(57)【特許請求の範囲】
【請求項１】
受信した制御値に応じた明るさで発光する照明器具を制御する照明制御装置であって、
時刻又は時間帯と制御値とが対応づけられたスケジュール情報が記憶された記憶部と、
前記照明器具に制御値を送信する送信部と、
前記照明制御装置に省電力を指示するための省電力指示信号を取得する取得部と、
制御部とを備え、
前記制御部は、
前記省電力指示信号によって省電力が指示されない場合、前記記憶部に記憶された前記スケジュール情報によって定められる制御値を前記送信部に送信させ、
前記省電力指示信号によって省電力が指示される場合、前記スケジュール情報によって定められる制御値よりも前記照明器具を暗く発光させるための制御値を、前記スケジュール情報によって定められる制御値に基づいて算出し、算出した制御値が所定の制御値よりも暗く前記照明器具を発光させる制御値であるときには、前記所定の制御値を前記送信部に送信させる
照明制御装置。
【請求項２】
前記制御部は、前記省電力指示信号によって省電力が指示される場合、算出した制御値が前記所定の制御値以上に明るく前記照明器具を発光させる制御値であるときには、算出した制御値を前記送信部に送信させる
請求項１に記載の照明制御装置。
【請求項３】
前記制御部は、
現在時刻が所定の時間帯に含まれるか否かをさらに判断し、
前記省電力指示信号によって省電力が指示される場合であって、かつ、現在時刻が所定の時間帯に含まれると判断した場合に、算出した制御値が前記所定の制御値よりも暗く前記照明器具を発光させる制御値であるときには、前記所定の制御値を前記送信部に送信させる
請求項１に記載の照明制御装置。
【請求項４】
前記制御部は、
現在時刻が所定の時間帯に含まれると判断した場合に、算出した制御値が前記所定の制御値以上に明るく前記照明器具を発光させる制御値であるとき、及び、現在時刻が所定の時間帯に含まれないと判断した場合には、算出した制御値を前記送信部に送信させる
請求項３に記載の照明制御装置。
【請求項５】
受信した制御値に応じた明るさで発光する照明器具を制御する照明制御装置であって、
時刻又は時間帯と制御値とが対応づけられたスケジュール情報が記憶された記憶部と、
前記照明器具に制御値を送信する送信部と、
前記照明制御装置に省電力を指示するための省電力指示信号を取得する取得部と、
制御部とを備え、
前記省電力指示信号は、第一段階の指示、及び、前記第一段階よりも省電力の必要性が高い場合に行われる第二段階の指示の二段階に分けて省電力を指示し、
前記制御部は、
前記省電力指示信号によって省電力が指示されない場合、前記記憶部に記憶された前記スケジュール情報によって定められる制御値を前記送信部に送信させ、
前記省電力指示信号によって前記第一段階の指示が行われる場合、前記スケジュール情報によって定められる制御値よりも前記照明器具を暗く発光させるための第一制御値を算出し、算出した第一制御値を前記送信部に送信させ、
前記省電力指示信号によって前記第二段階の指示が行われる場合、前記第一制御値よりも前記照明器具を暗く発光させるための第二制御値を算出し、算出した第二制御値が前記所定の制御値よりも暗く前記照明器具を発光させる制御値であるときには、前記所定の制御値を前記送信部に送信させる
照明制御装置。
【請求項６】
受信した制御値に応じた明るさで発光する照明器具を制御する照明制御装置であって、
時刻又は時間帯と制御値とが対応づけられたスケジュール情報が記憶された記憶部と、
前記照明器具に制御値を送信する送信部と、
前記照明制御装置に省電力を指示するための省電力指示信号を取得する取得部と、
制御部とを備え、
前記制御部は、
前記省電力指示信号によって省電力が指示される場合に、現在時刻が所定の時間帯に含まれるか否かを判断し、
現在時刻が所定の時間帯に含まれると判断した場合、前記記憶部に記憶された前記スケジュール情報によって定められる制御値を前記送信部に送信させ、
現在時刻が所定の時間帯に含まれないと判断した場合、前記スケジュール情報によって定められる制御値よりも前記照明器具を暗く発光させるための制御値を、前記スケジュール情報によって定められる制御値に基づいて算出し、算出した制御値を前記送信部に送信させる
照明制御装置。
【請求項７】
前記制御部は、前記省電力指示信号によって省電力が指示されない場合、前記記憶部に記憶されたスケジュール情報よって定められる制御値を前記送信部に送信させる
請求項６に記載の照明制御装置。
【請求項８】
受信した制御値に応じた明るさで発光する照明器具と、
前記照明器具を制御する照明制御装置とを備え、
前記照明制御装置は、
時刻又は時間帯と制御値とが対応づけられたスケジュール情報が記憶された記憶部と、
前記照明器具に制御値を送信する送信部と、
前記照明制御装置に省電力を指示するための省電力指示信号を取得する取得部と、
制御部とを備え、
前記制御部は、
前記省電力指示信号によって省電力が指示されない場合、前記記憶部に記憶された前記スケジュール情報によって定められる制御値を前記送信部に送信させ、
前記省電力指示信号によって省電力が指示される場合、前記スケジュール情報によって定められる制御値よりも前記照明器具を暗く発光させるための制御値を、前記スケジュール情報によって定められる制御値に基づいて算出し、算出した制御値が所定の制御値よりも暗く前記照明器具を発光させる制御値であるときには、前記所定の制御値を前記送信部に送信させる
照明システム。
【請求項９】
受信した制御値に応じた明るさで発光する照明器具と、
前記照明器具を制御する照明制御装置とを備え、
前記照明制御装置は、
時刻又は時間帯と制御値とが対応づけられたスケジュール情報が記憶された記憶部と、
前記照明器具に制御値を送信する送信部と、
前記照明制御装置に省電力を指示するための省電力指示信号を取得する取得部と、
制御部とを備え、
前記制御部は、
前記省電力指示信号によって省電力が指示される場合に、現在時刻が所定の時間帯に含まれるか否かを判断し、
現在時刻が所定の時間帯に含まれると判断した場合、前記記憶部に記憶された前記スケジュール情報によって定められる制御値を前記送信部に送信させ、
現在時刻が所定の時間帯に含まれないと判断した場合、前記スケジュール情報によって定められる制御値よりも前記照明器具を暗く発光させるための制御値を、前記スケジュール情報によって定められる制御値に基づいて算出し、算出した制御値を前記送信部に送信させる
照明システム。
【請求項１０】
受信した制御値に応じた明るさで発光する照明器具の制御方法であって、
省電力指示信号を取得し、
前記省電力指示信号によって省電力が指示されない場合、時刻又は時間帯と制御値とが対応づけられたスケジュール情報によって定められる制御値を前記照明器具に送信し、
前記省電力指示信号によって省電力が指示される場合、前記スケジュール情報によって定められる制御値よりも前記照明器具を暗く発光させるための制御値を、前記スケジュール情報によって定められる制御値に基づいて算出し、算出した制御値が所定の制御値よりも暗く前記照明器具を発光させる制御値であるときには、前記所定の制御値を前記照明器具に送信する
制御方法。
【請求項１１】
受信した制御値に応じた明るさで発光する照明器具の制御方法であって、
省電力指示信号を取得し、
前記省電力指示信号によって省電力が指示される場合に、現在時刻が所定の時間帯に含まれるか否かを判断し、
現在時刻が所定の時間帯に含まれると判断した場合、時刻又は時間帯と制御値とが対応づけられたスケジュール情報によって定められる制御値を前記照明器具に送信し、
現在時刻が所定の時間帯に含まれないと判断した場合、前記スケジュール情報によって定められる制御値よりも前記照明器具を暗く発光させるための制御値を、前記スケジュール情報によって定められる制御値に基づいて算出し、算出した制御値を前記照明器具に送信する
制御方法。
【発明の詳細な説明】
【技術分野】
【０００１】
本発明は、スケジュール機能を有する照明制御装置などに関する。
【背景技術】
【０００２】
従来、時間の経過とともに照明器具の明るさを変化させる機能であるスケジュール機能を有する照明機器の制御システムが知られている（例えば、特許文献１参照）。
【先行技術文献】
【特許文献】
【０００３】
【特許文献１】特開２０１５−０７９６００号公報
【発明の概要】
【発明が解決しようとする課題】
【０００４】
ところで、上記のような照明機器の制御システムにおいて、電力使用量を抑制するために照明器具を通常よりも暗く発光させるような場合、照明器具が暗くなりすぎると、周囲が見えにくくなるため危険である。
【０００５】
本発明は、安全性を確保して電力使用量を抑制することができる照明制御装置、照明システム、及び、制御方法を提供する。
【課題を解決するための手段】
【０００６】
本発明の一態様に係る照明制御装置は、受信した制御値に応じた明るさで発光する照明器具を制御する照明制御装置であって、時刻又は時間帯と制御値とが対応づけられたスケジュール情報が記憶された記憶部と、前記照明器具に制御値を送信する送信部と、前記照明制御装置に省電力を指示するための省電力指示信号を取得する取得部と、制御部とを備え、前記制御部は、前記省電力指示信号によって省電力が指示されない場合、前記記憶部に記憶された前記スケジュール情報によって定められる制御値を前記送信部に送信させ、前記省電力指示信号によって省電力が指示される場合、前記スケジュール情報によって定められる制御値よりも前記照明器具を暗く発光させるための制御値を算出し、算出した制御値が所定の制御値よりも暗く前記照明器具を発光させる制御値であるときには、前記所定の制御値を前記送信部に送信させる。
【０００７】
本発明の一態様に係る照明制御装置は、受信した制御値に応じた明るさで発光する照明器具を制御する照明制御装置であって、時刻又は時間帯と制御値とが対応づけられたスケジュール情報が記憶された記憶部と、前記照明器具に制御値を送信する送信部と、前記照明制御装置に省電力を指示するための省電力指示信号を取得する取得部と、制御部とを備え、前記制御部は、前記省電力指示信号によって省電力が指示される場合に、現在時刻が所定の時間帯に含まれるか否かを判断し、現在時刻が所定の時間帯に含まれると判断した場合、前記記憶部に記憶された前記スケジュール情報によって定められる制御値を前記送信部に送信させ、現在時刻が所定の時間帯に含まれないと判断した場合、前記スケジュール情報によって定められる制御値よりも前記照明器具を暗く発光させるための制御値を算出し、算出した制御値を前記送信部に送信させる。
【０００８】
本発明の一態様に係る照明システムは、受信した制御値に応じた明るさで発光する照明器具と、前記照明器具を制御する照明制御装置とを備え、前記照明制御装置は、時刻又は時間帯と制御値とが対応づけられたスケジュール情報が記憶された記憶部と、前記照明器具に制御値を送信する送信部と、前記照明制御装置に省電力を指示するための省電力指示信号を取得する取得部と、制御部とを備え、前記制御部は、前記省電力指示信号によって省電力が指示されない場合、前記記憶部に記憶された前記スケジュール情報によって定められる制御値を前記送信部に送信させ、前記省電力指示信号によって省電力が指示される場合、前記スケジュール情報によって定められる制御値よりも前記照明器具を暗く発光させるための制御値を算出し、算出した制御値が所定の制御値よりも暗く前記照明器具を発光させる制御値であるときには、前記所定の制御値を前記送信部に送信させる。
【０００９】
本発明の一態様に係る照明システムは、受信した制御値に応じた明るさで発光する照明器具と、前記照明器具を制御する照明制御装置とを備え、前記照明制御装置は、時刻又は時間帯と制御値とが対応づけられたスケジュール情報が記憶された記憶部と、前記照明器具に制御値を送信する送信部と、前記照明制御装置に省電力を指示するための省電力指示信号を取得する取得部と、制御部とを備え、前記制御部は、前記省電力指示信号によって省電力が指示される場合に、現在時刻が所定の時間帯に含まれるか否かを判断し、現在時刻が所定の時間帯に含まれると判断した場合、前記記憶部に記憶された前記スケジュール情報によって定められる制御値を前記送信部に送信させ、現在時刻が所定の時間帯に含まれないと判断した場合、前記スケジュール情報によって定められる制御値よりも前記照明器具を暗く発光させるための制御値を算出し、算出した制御値を前記送信部に送信させる
。
【００１０】
本発明の一態様に係る制御方法は、受信した制御値に応じた明るさで発光する照明器具の制御方法であって、省電力指示信号を取得し、前記省電力指示信号によって省電力が指示されない場合、時刻又は時間帯と制御値とが対応づけられたスケジュール情報によって定められる制御値を前記照明器具に送信し、前記省電力指示信号によって省電力が指示される場合、前記スケジュール情報によって定められる制御値よりも前記照明器具を暗く発光させるための制御値を算出し、算出した制御値が所定の制御値よりも暗く前記照明器具を発光させる制御値であるときには、前記所定の制御値を前記照明器具に送信する。
【００１１】
本発明の一態様に係る制御方法は、受信した制御値に応じた明るさで発光する照明器具の制御方法であって、省電力指示信号を取得し、前記省電力指示信号によって省電力が指示される場合に、現在時刻が所定の時間帯に含まれるか否かを判断し、現在時刻が所定の時間帯に含まれると判断した場合、時刻又は時間帯と制御値とが対応づけられたスケジュール情報によって定められる制御値を前記照明器具に送信し、現在時刻が所定の時間帯に含まれないと判断した場合、前記スケジュール情報によって定められる制御値よりも前記照明器具を暗く発光させるための制御値を算出し、算出した制御値を前記照明器具に送信する。
【発明の効果】
【００１２】
本発明の照明制御装置、照明システム、及び、制御方法は、安全性を確保して電力使用量を抑制することができる。
【図面の簡単な説明】
【００１３】
【図１】図１は、実施の形態に係る照明システムの概略図である。
【図２】図２は、実施の形態に係る照明システムの機能構成を示すブロック図である。
【図３】図３は、照明制御装置の動作例１のフローチャートである。
【図４】図４は、比較例における調光率の変化を示す図である。
【図５】図５は、動作例１における調光率の変化を示す図である。
【図６】図６は、照明制御装置の動作例２のフローチャートである。
【図７】図７は、動作例２における調光率の変化を示す図である。
【図８】図８は、照明制御装置の動作例３のフローチャートである。
【図９】図９は、動作例３における調光率の変化を示す図である。
【図１０】図１０は、照明制御装置の動作例１を変形した動作のフローチャートである。
【発明を実施するための形態】
【００１４】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１５】
なお、各図は模式図であり、必ずしも厳密に図示されたものではない。また、各図において、実質的に同一の構成に対しては同一の符号を付し、重複する説明は省略または簡略化される場合がある。
【００１６】
（実施の形態）
［照明システムの構成］
まず、実施の形態に係る照明システムの構成について説明する。図１は、実施の形態に係る照明システムの概略図である。図２は、実施の形態に係る照明システムの機能構成を示すブロック図である。
【００１７】
図１及び図２に示されるように、実施の形態に係る照明システム１０は、照明制御装置２０と、複数の照明器具３０とを備える。また、図１及び図２では、管理装置４０（図２に図示）及び電力系統５０も図示されている。なお、管理装置４０は、照明システム１０に含まれてもよい。
【００１８】
照明システム１０は、１以上の照明器具３０を、ユーザが照明制御装置２０を通じて一括して制御することができるシステムである。照明システム１０は、時間の経過とともに照明器具３０の明るさを変化させるスケジュール機能を有する。
【００１９】
また、照明システム１０において、照明システム１０は、デマンド信号に応じて照明器具３０を暗く発光させ、照明システム１０が設けられた建物における電力使用量を抑制することもできる。なお、デマンド信号は、例えば、電力使用量が目標使用量を超えると予測される場合に、その旨を照明システム１０に通知するための信号であり、管理装置４０によって出力される。管理装置４０は、当該管理装置４０が計測する建物内の電力使用量の合計、または、電力計測装置などの他の装置から取得した建物内の電力使用量の合計に基づいて、デマンド信号を出力する。管理装置４０は、具体的には、サーバ装置などである。
【００２０】
照明システム１０では、デマンド信号により省電力が指示されても、照明器具３０を所定の明るさよりも暗くは発光させない制御が行われる、これにより、照明システム１０は、安全性を確保して電力使用量を抑制することができる。以下、照明システム１０の各構成要素について説明する。
【００２１】
［照明制御装置］
照明制御装置２０は、照明器具３０に調光率を送信することにより照明器具３０を制御する装置である。調光率（調光比）は、制御値の一例である。例えば、照明器具３０を全灯状態にする調光率は１００％、照明器具３０を消灯状態にする調光率は０％である。
【００２２】
照明制御装置２０は、照明器具３０とは別体の装置であり、照明制御装置２０自体は、照明機能を有しない。照明制御装置２０は、入力受付部２１と、記憶部２２と、表示部２３と、取得部２４と、制御部２５と、タイマ部２６と、送信部２７と、電源部２８とを備える。
【００２３】
入力受付部２１は、ユーザの入力を受け付けるユーザインターフェースである。ユーザは、入力受付部２１を通じて、時刻または時間帯と、照明器具３０の明るさとを入力する。つまり、ユーザは、入力受付部２１を通じて、照明器具３０のスケジュールを入力する。そうすると、入力された時刻または時間帯と、照明器具３０を入力された明るさで発光させるための調光率とが対応付けられたスケジュール情報が制御部２５によって記憶部２２に記憶される。
【００２４】
また、ユーザは、デマンド信号により省電力が指示されたときに、スケジュール情報により定められる調光率をどの程度削減するかを示す削減率［％］を入力することもできる。デマンド信号により省電力が指示されたときには、照明器具３０は、調光率に（１００％−削減率）が積算された調光率で発光する。なお、ユーザは、削減率に代えて削減量を入力してもよい。この場合、デマンド信号により省電力が指示されたときには、照明器具３０は、調光率から削減量が減算された調光率で発光する。
【００２５】
また、ユーザは、デマンド信号により省電力が指示された場合であっても、ユーザが確保したい最低限の明るさである所定の明るさ（所定の調光率）を入力することもできる。所定の調光率は、例えば、２０％であるが、特に限定されない。
【００２６】
また、ユーザは、所定の時間帯を入力することもできる。後述される動作例２では、所定の時間帯は、照明器具３０の明るさ（調光率）の下限が定められる時間帯である。後述される動作例３では、所定の時間帯は、デマンド信号による省電力の指示が無効となる時間帯である。
【００２７】
入力受付部２１は、具体的には、ＤＩＰ（Ｄｕａｌ  Ｉｎ−ｌｉｎｅ  Ｐａｃｋａｇｅ）スイッチ、ロータリースイッチ、もしくは、テンキースイッチなどのハードウェアスイッチ（ハードウェアボタン）、または、タッチパネルなどにより実現される。
【００２８】
記憶部２２は、時刻又は時間帯と調光率とが対応づけられたスケジュール情報が記憶される。記憶部２２には、ユーザによって入力された削減率、所定の調光率、及び、所定の時間帯も記憶される。また、記憶部２２には、制御部２５が実行する制御プログラムも記憶される。
【００２９】
記憶部２２は、具体的には、半導体メモリなどの記憶装置である。記憶部２２への情報の記憶は、制御部２５によって行われる。なお、記憶部２２は、制御部２５に内蔵されてもよい。
【００３０】
表示部２３は、制御部２５の制御に基づいて、ユーザのスケジュールの入力を補助するために必要な文字、数値、または記号を表示する。表示部２３は、静止画または動画などの画像を表示してもよい。表示部２３は、具体的には、ＬＣＤ（Ｌｉｑｕｉｄ  Ｃｒｙｓｔａｌ  Ｄｉｓｐｌａｙ）または有機ＥＬ（Ｅｌｅｃｔｒｏ  Ｌｕｍｉｎｅｓｃｅｎｃｅ）パネルなどにより形成された表示パネルと、その駆動回路などからなる。
【００３１】
取得部２４は、照明制御装置２０に省電力を指示するためのデマンド信号を取得する。取得部２４は、具体的には、通信モジュール（通信回路）であり、有線通信により管理装置４０からデマンド信号を取得する。なお、取得部２４は、無線通信により管理装置４０からデマンド信号を取得してもよい。
【００３２】
デマンド信号は、建物における電力使用量が目標使用量を超えると予測されたときにハイレベルとなり、それ以外のときにローレベルとなる２値の電気信号（デジタル信号）である。なお、デマンド信号の論理は、逆であってもよい。また、デマンド信号は、その他、どのような態様であってもよい。デマンド信号は、例えば、省電力が開始されるべきタイミング、及び、省電力が終了されるべきタイミングにそれぞれ送信される、タイミングを示す信号であってもよい。
【００３３】
制御部２５は、照明制御装置２０の各種制御を行う制御装置である。制御部２５は、入力受付部２１が受け付けたスケジュールに基づいて、スケジュール情報を生成し、生成したスケジュール情報を記憶部２２に記憶する。制御部２５は、削減率、所定の調光率、及び、所定の時間帯などの情報を記憶部２２に記憶する。また、制御部２５は、ユーザのスケジュールの入力を補助するために必要な文字、数値、記号、または画像を表示部２３に表示させる。
【００３４】
また、制御部２５は、例えば、記憶部２２に記憶されたスケジュール情報を読み出し、タイマ部２６によって通知される現在時刻に対応する調光率を特定する。そして、制御部２５は、特定した調光率を含む制御信号を送信部２７に送信させる。つまり、制御部２５は、調光率を送信部２７に送信させる。送信部２７によって送信された制御信号は、照明器具３０が備える受信部３１によって受信される。
【００３５】
また、制御部２５は、デマンド信号により省電力が指示されたときの調光率（以下、省電力対応の調光率とも記載される）を算出する。制御部２５は、具体的には、調光率に（１００％−削減率）を積算することにより得られる調光率を、省電力対応の調光率として算出する。
【００３６】
制御部２５は、具体的には、マイクロコンピュータであるが、プロセッサまたは専用回路などにより実現されてもよい。
【００３７】
タイマ部２６は、現在時刻を計測し、制御部２５に通知する。タイマ部２６は、具体的には、汎用のタイマＩＣ（タイマ回路）、または、リアルタイムクロックＩＣなどである。なお、タイマ部２６は、制御部２５に内蔵されてもよい。この場合、タイマ部２６は、例えば、オンチップオシレータである。タイマ部２６がオンチップオシレータである場合には、水晶振動子がさらに外付けされることにより、現在時刻の計測精度を高めることができる。
【００３８】
送信部２７は、照明器具３０に調光率を含む制御信号を送信する。つまり、送信部２７は、調光率を送信する。送信部２７は、具体的には、通信回路（通信モジュール）であり、無線通信により、制御信号を照明器具３０が備える受信部３１に送信する。無線通信の方式は、例えば、７２０ＭＨｚの周波数帯域を使用した特定小電力無線であるが、特に限定されない。なお、送信部２７は、有線通信により制御信号を送信してもよい。
【００３９】
電源部２８は、電力系統５０から供給される交流電力を、照明制御装置２０の動作に適した直流電力に変換し供給する。電源部２８は、具体的には、ＡＣ／ＤＣコンバータまたはＤＣ／ＤＣコンバータなどを含む電源回路である。
【００４０】
［照明器具］
次に、照明器具３０について説明する。照明器具３０は、室内を照明するいわゆるシーリングライトであり、照明制御装置２０から受信した調光率に応じた明るさで発光する。つまり、照明器具３０は、照明制御装置２０によって調光制御される。なお、照明器具３０の態様は、図１に示されるような長尺状に限定されるものではなく。平面視形状が円形のシーリングライト、または、ダウンライト等であってもよい。実施の形態では、照明システム１０は、複数の照明器具３０を備えるが、少なくとも１つの照明器具３０を備えればよい。照明器具３０は、受信部３１と、発光制御部３２と、発光部３３と、電源部３４とを備える。
【００４１】
受信部３１は、照明制御装置２０から調光率を含む制御信号を受信する。つまり、受信部３１は、調光率を取得する。受信部３１は、具体的には、通信回路（通信モジュール）であり、照明制御装置２０が備える送信部２７から無線通信によって調光率を受信する。なお、受信部３１は、有線通信により調光率を受信してもよい。
【００４２】
発光制御部３２は、受信部３１によって受信された調光率に応じた電圧及び電流を発光部３３に供給する。発光制御部３２は、具体的には、ＰＷＭ（Ｐｕｌｓｅ  Ｗｉｄｔｈ  Ｍｏｄｕｌａｔｉｏｎ）制御回路を備える。また、発光制御部３２は、ＰＷＭ制御回路を制御する、マイクロコンピュータ、プロセッサ、または、専用回路を備える。
【００４３】
発光部３３は、発光制御部３２から供給される電圧及び電流によって発光する発光モジュールである。発光部３３は、具体的には、ＬＥＤ（Ｌｉｇｈｔ  Ｅｍｉｔｔｉｎｇ  Ｄｉｏｄｅ）を発光素子として備える。発光部３３は、蛍光管、半導体レーザ等の半導体発光素子、または、有機ＥＬ（Ｅｌｅｃｔｒｏ  Ｌｕｍｉｎｅｓｃｅｎｃｅ）もしくは無機ＥＬ等の固体発光素子を備えてもよい。
【００４４】
電源部３４は、外部から供給される交流電力または直流電力を、照明器具３０の動作に適した直流電力に変換し供給する。電源部３４は、具体的には、ＡＣ／ＤＣコンバータまたはＤＣ／ＤＣコンバータなどを含む電源回路である。
【００４５】
［動作例１］
照明システム１０における照明制御装置２０の動作例１について説明する。図３は、照明制御装置２０の動作例１のフローチャートである。なお、以下の動作例１の説明では、記憶部２２にあらかじめスケジュール情報が記憶されているものとする。
【００４６】
図３に示されるように、まず、照明制御装置２０の取得部２４は、デマンド信号を取得する（Ｓ１１）。制御部２５は、まず、取得されたデマンド信号によって省電力が指示されるか否かを判断する（Ｓ１２）。つまり、制御部２５は、デマンド信号がハイレベルであるか否かを判断する。
【００４７】
デマンド信号がローレベルである場合、つまり、デマンド信号によって省電力が指示されない場合（Ｓ１２でＮｏ）、制御部２５は、記憶部２２に記憶されたスケジュール情報によって定められる調光率を送信部２７に送信させる（Ｓ１３）。
【００４８】
制御部２５は、具体的には、記憶部２２からスケジュール情報を読み出し、タイマ部２６により通知される現在時刻に送信すべき調光率を、読み出したスケジュール情報により特定する。そして、制御部２５は、特定した調光率を含む制御信号を送信部２７に送信させる。これにより、照明器具３０は、スケジュール情報に応じた調光率で発光する。
【００４９】
一方、デマンド信号がハイレベルである場合、つまり、デマンド信号によって省電力が指示される場合（Ｓ１２でＹｅｓ）、制御部２５は、スケジュール情報によって定められる調光率よりも照明器具３０を暗く発光させるための調光率（省電力対応の調光率）を算出する（Ｓ１４）。
【００５０】
制御部２５は、具体的には、記憶部２２からスケジュール情報を読み出し、タイマ部２６により通知される現在時刻に送信すべき調光率を、読み出したスケジュール情報により特定する。また、制御部２５は、記憶部２２から削減率を読み出し、特定した調光率に（１００％−削減率）を積算することにより得られる調光率を、省電力対応の調光率として算出する。
【００５１】
次に、制御部２５は、算出した省電力対応の調光率が所定の調光率よりも低いか否かを判断する（Ｓ１５）。言い換えれば、制御部２５は、算出した省電力対応の調光率が所定の調光率よりも暗く照明器具３０を発光させる調光率であるか否かを判断する。
【００５２】
制御部２５は、省電力対応の調光率が所定の調光率よりも暗く照明器具３０を発光させる制御値であると判断した場合（Ｓ１５でＹｅｓ）、所定の調光率を送信部２７に送信させる（Ｓ１６）。これにより、照明器具３０は、所定の調光率で発光する。
【００５３】
一方、制御部２５は、省電力対応の調光率が所定の調光率以上に明るく照明器具３０を発光させる調光率であると判断した場合（Ｓ１５でＮｏ）、省電力対応の調光率を送信部２７に送信させる（Ｓ１７）。これにより、照明器具３０は、省電力対応の調光率で発光する。
【００５４】
以上のような動作例１が行われた場合の照明器具３０の調光率の変化について、比較例を参照しながら説明する。図４は、比較例における調光率の変化を示す図である。図５は、動作例１における調光率の変化を示す図である。
【００５５】
図４及び図５は、照明器具３０（照明制御装置２０）が同一のスケジュール情報に基づいて動作しているときに、デマンド信号によって省電力が指示された場合の調光率の変化を示す。
【００５６】
図４に示される比較例においては、デマンド信号によって省電力が指示された後は、照明器具３０は、省電力対応の調光率で発光する。そうすると、照明器具３０は、１３時以降１５時までの間は、所定の調光率である２０％よりも低い調光率で発光する。
【００５７】
これに対し、図５に示される動作例１においては、デマンド信号によって省電力が指示された後、照明器具３０は、原則として省電力対応の調光率で発光するが、省電力対応の調光率が所定の調光率である２０％を下回るときには、省電力対応の調光率ではなく所定の調光率で発光する。つまり、動作例１においては、１３時以降１５時までの間、照明器具３０は、所定の調光率である２０％の調光率で発光する。
【００５８】
なお、図４及び図５では、１３時以降１５時までの間、スケジュール情報によって定められる調光率も２０％となっているため、所定の調光率とスケジュール情報によって定められる調光率とが一致している。しかしながら、所定の調光率とスケジュール情報によって定められる調光率とは一致しなくてよい。
【００５９】
以上のように、照明制御装置２０が動作例１のように動作すれば、照明器具３０の最低限の明るさが確保される。つまり、照明制御装置２０が動作例１のように動作すれば、照明器具３０が暗くなりすぎないため、安全性を確保して電力使用量を抑制することができる。
【００６０】
［動作例２］
以下、照明システム１０における照明制御装置２０の動作例２について説明する。図６は、照明制御装置２０の動作例２のフローチャートである。なお、以下の動作例２の説明では、動作例１で説明された内容については簡略化または省略される。
【００６１】
図６に示される動作例２のフローチャートでは、動作例１のフローチャートのステップＳ１４とステップＳ１５の間に、ステップＳ１８が追加されている。
【００６２】
制御部２５は、ステップＳ１４において省電力対応の調光率を算出した後、現在時刻が所定の時間帯に含まれるか否かを判断する（Ｓ１８）。制御部２５は、具体的には、記憶部２２に予め記憶された所定の時間帯を読み出し、タイマ部２６により通知される現在時刻が読み出した所定の時間帯に含まれるか否かを判断する。
【００６３】
制御部２５は、現在時刻が所定の時間帯に含まれないと判断した場合（Ｓ１８でＮｏ）、省電力対応の調光率を送信部２７に送信させる（Ｓ１７）。これにより、照明器具３０は、省電力対応の調光率で発光する。
【００６４】
なお、制御部２５は、現在時刻が所定の時間帯に含まれないと判断した場合（Ｓ１８でＮｏ）、スケジュール情報によって定められる調光率を送信部２７に送信させてもよい（Ｓ１３）。この場合は、ステップＳ１８は、ステップＳ１２とステップＳ１４の間にあってもよい。
【００６５】
一方で、制御部２５は、現在時刻が所定の時間帯に含まれると判断した場合（Ｓ１８でＹｅｓ）、算出した省電力対応の調光率が所定の調光率よりも低いか否かを判断する（Ｓ１５）。以降は、動作例１と同様である。
【００６６】
以上のような動作例２が行われた場合の照明器具３０の調光率の変化について説明する。図７は、動作例２における調光率の変化を示す図である。
【００６７】
図７は、照明器具３０（照明制御装置２０）が上述した比較例及び動作例１と同一のスケジュール情報に基づいて動作しているときに、デマンド信号によって省電力が指示された場合の調光率の変化を示す。
【００６８】
図７の例では、所定の時間帯は、一例として、１４時以降２４時（図７では、２３時まで図示）までとされる。省電力対応の調光率は、１３時以降１５時までの間は、所定の調光率である２０％よりも低い調光率となる。照明器具３０は、所定の時間帯に含まれない１３時の時点においては、所定の調光率よりも低い省電力対応の調光率で発光し、１４時以降１５時までの間は、所定の調光率である２０％の調光率で発光する。
【００６９】
以上のように、照明制御装置２０が動作例２のように動作すれば、ユーザは、所定の時間帯を予め入力しておくことにより、照明器具３０の明るさ（調光率）の下限が定められる時間帯を指定することができる。
【００７０】
［動作例３］
以下、照明システム１０における照明制御装置２０の動作例３について説明する。図８は、照明制御装置２０の動作例３のフローチャートである。なお、以下の動作例３の説明では、動作例１で説明された内容については簡略化または省略される。
【００７１】
動作例３では、動作例２と同様に、現在時刻が所定の時間帯に含まれるかの判断が行われる。ここで、動作例３では、動作例２と異なり、所定の時間帯は、デマンド信号による省電力の指示が無効となる時間帯と定義される。
【００７２】
図８に示されるように、まず、照明制御装置２０の取得部２４は、デマンド信号を取得する（Ｓ１１）。制御部２５は、まず、取得されたデマンド信号によって省電力が指示されるか否かを判断する（Ｓ１２）。
【００７３】
デマンド信号によって省電力が指示されない場合（Ｓ１２でＮｏ）、制御部２５は、記憶部２２に記憶されたスケジュール情報によって定められる調光率を送信部２７に送信させる（Ｓ１３）。これにより、照明器具３０は、スケジュール情報によって定められる調光率で発光する。
【００７４】
一方、デマンド信号によって省電力が指示される場合（Ｓ１２でＮｏ）、制御部２５は、現在時刻が所定の時間帯に含まれるか否かを判断する（Ｓ１８）。制御部２５は、現在時刻が所定の時間帯に含まれると判断した場合（Ｓ１８でＹｅｓ）、スケジュール情報によって定められる調光率を送信部２７に送信させる（Ｓ１７）。これにより、照明器具３０は、スケジュール情報によって定められる調光率で発光する。
【００７５】
一方、制御部２５は、現在時刻が所定の時間帯に含まれないと判断した場合（Ｓ１８でＮｏ）、スケジュール情報によって定められる調光率よりも照明器具３０を暗く発光させるための調光率（省電力対応の調光率）を算出する（Ｓ１４）。そして、制御部２５は、省電力対応の調光率を送信部２７に送信させる（Ｓ１７）。これにより、照明器具３０は、省電力対応の調光率で発光する。
【００７６】
以上のような動作例３が行われた場合の照明器具３０の調光率の変化について説明する。図９は、動作例３における調光率の変化を示す図である。
【００７７】
図９は、照明器具３０（照明制御装置２０）が上述した比較例、動作例１、及び動作例２と同一のスケジュール情報に基づいて動作しているときに、デマンド信号によって省電力が指示された場合の調光率の変化を示す。
【００７８】
図９の例では、所定の時間帯は、一例として、１８時以降２４時まで（図９では、２３時まで図示）とされる。上述のように、動作例３では、所定の時間帯は、デマンド信号による省電力の指示が無効となる時間帯である。したがって、１８時以降は、省電力が指示されているにもかかわらず、照明器具３０は、スケジュール情報によって定められる調光率で発光する。
【００７９】
動作例３では、所定の時間帯が、周囲が暗くなる時間帯が所定の時間帯とされれば、周囲が暗くなる時間帯に照明器具３０の明るさが確保される。一方で、周囲が比較的明るい所定の時間帯以外の時間帯には、デマンド信号の省電力指示によって電力使用量が抑制される。つまり、照明制御装置２０が動作例３のように動作すれば、安全性を確保して電力使用量を抑制することができる。
【００８０】
［変形例］
取得部２４は、少なくとも１つデマンド信号を取得すればよいが、第一デマンド信号及び第二デマンド信号の２つのデマンド信号を、別々の信号線から取得してもよい。この場合、２つのデマンド信号により、二段階以上に分けて省電力の指示が行われてもよい。
【００８１】
例えば、電力使用量が目標使用量を超える可能性がある場合には、まず、第一デマンド信号のみがハイレベルとなることで省電力が指示される。この省電力の指示を、第一段階の指示とも記載する。
【００８２】
さらに電力使用量が目標使用量を超える可能性が高まると、第一デマンド信号に加えて第二デマンド信号もハイレベルとなり、強く省電力が指示される。このような省電力の指示を、第二段階の指示とも記載する。第二段階の指示は、第一段階の指示よりも省電力の必要性の高い場合に行われる。
【００８３】
なお、電力使用量が目標使用量を超える可能性が低く、省電力の指示が行われないときには、第一デマンド信号及び第二デマンド信号の両方がローレベルとなる。
【００８４】
このように、第一デマンド信号及び第二デマンド信号（省電力指示信号）は、二段階に分けて省電力の指示を行ってもよい。ユーザは、各段階に対して、個別に削減率を入力（指定）することができる。ユーザは、例えば、第一段階の指示が行われたときの削減率を１５％、第二段階の指示が行われたときの削減率を３０％に指定することができる。
【００８５】
省電力の指示が二段階に分けて行われる場合、例えば、図３に示される動作例１は、図１０のように変形されてもよい。図１０は、変形例に係る照明制御装置２０の動作のフローチャートである。なお、以下の変形例の説明では、動作例１で説明された内容については簡略化または省略される。
【００８６】
図１０に示されるように、まず、照明制御装置２０の取得部２４は、デマンド信号を取得する（Ｓ２１）。制御部２５は、まず、取得されたデマンド信号によって第一段階の指示が行われているか否かを判断する（Ｓ２２）。つまり、制御部２５は、第一デマンド信号のみがハイレベルであるか否かを判断する。
【００８７】
第一段階の指示が行われていると判断される場合（Ｓ２２でＹｅｓ）、制御部２５は、スケジュール情報によって定められる調光率よりも照明器具３０を暗く発光させるための第一調光率（第一段階対応の調光率）を算出する（Ｓ２３）。つまり、制御部２５は、削減率を１５％として第一調光率を算出する。第一調光率は、第一制御値の一例である。そして、制御部２５は、第一調光率を送信部２７に送信させる（Ｓ２４）。これにより、照明器具３０は、第一調光率で発光する。
【００８８】
一方、第一段階の指示が行われていないと判断される場合（Ｓ２２でＮｏ）、制御部２５は、取得されたデマンド信号によって第二段階の指示が行われているか否かを判断する（Ｓ２５）。つまり、制御部２５は、第一デマンド信号及び第二デマンド信号の両方がハイレベルであるか否かを判断する。なお、ステップＳ２２の処理とステップＳ２５の処理とは逆の順序で行われてもよい。
【００８９】
第二段階の指示が行われていないと判断される場合（Ｓ２５でＮｏ）、制御部２５は、取得されたデマンド信号によって省電力指示が行われていないとみなし、記憶部２２に記憶されたスケジュール情報によって定められる調光率を送信部２７に送信させる（Ｓ２６）。
【００９０】
第二段階の指示が行われていると判断される場合（Ｓ２５でＹｅｓ）、制御部２５は、第一調光率よりも照明器具３０を暗く発光させるための第二調光率（第二段階対応の調光率）を算出する（Ｓ２７）。つまり、制御部２５は、削減率を３０％として第二調光率を算出する。第二調光率は、第二制御値の一例である。
【００９１】
次に、制御部２５は、算出した第二調光率が所定の調光率よりも低いか否かを判断する（Ｓ２８）。言い換えれば、制御部２５は、算出した第二調光率が所定の調光率よりも暗く照明器具３０を発光させる調光率であるか否かを判断する。
【００９２】
制御部２５は、第二調光率が所定の調光率よりも暗く照明器具３０を発光させる制御値であると判断した場合（Ｓ２８でＹｅｓ）、所定の調光率を送信部２７に送信させる（Ｓ２９）。これにより、照明器具３０は、所定の調光率で発光する。
【００９３】
一方、制御部２５は、第二調光率が所定の調光率以上に明るく照明器具３０を発光させる調光率であると判断した場合（Ｓ２８でＮｏ）、第二調光率を送信部２７に送信させる（Ｓ２４）。これにより、照明器具３０は、第二調光率で発光する。
【００９４】
照明制御装置２０が変形例のように動作すれば、第一段階の指示が行われた場合には、通常通り電力使用量の削減を行い、第二段階の指示が行われた場合には、照明器具３０の最低限の明るさを確保することができる。なお、動作例２に同様の変形が行われてもよい。
【００９５】
また、上記変形例の説明では、省電力の指示を二段階に分けて行うために、２つのデマンド信号が用いられた。しかしながら、１つのデマンド信号が３値の値をとることにより、二段階に分けて省電力の指示が行われてもよい。また、上記変形例において説明されたデマンド信号の論理は一例である。デマンド信号の論理は適宜定められればよい。
【００９６】
［効果等］
以上説明したように、照明制御装置２０は、受信した調光率に応じた明るさで発光する照明器具３０を制御する。照明制御装置２０は、時刻又は時間帯と調光率とが対応づけられたスケジュール情報が記憶された記憶部２２と、照明器具３０に調光率を送信する送信部２７と、照明制御装置２０に省電力を指示するための省電力指示信号を取得する取得部２４と、制御部２５とを備える。制御部２５は、省電力指示信号によって省電力が指示されない場合、記憶部２２に記憶されたスケジュール情報によって定められる調光率を送信部２７に送信させる。制御部２５は、省電力指示信号によって省電力が指示される場合、スケジュール情報によって定められる調光率よりも照明器具３０を暗く発光させるための調光率を算出する。制御部２５は、算出した調光率が所定の調光率よりも暗く照明器具３０を発光させる調光率であるときには、所定の調光率を送信部２７に送信させる。調光率は、制御値の一例である。
【００９７】
これにより、省電力が指示された場合であっても、照明器具３０は、少なくとも所定の調光率に対応した明るさで発光するため、照明器具３０の最低限の明るさが確保される。つまり、照明制御装置２０によれば、省電力が指示された場合であっても照明器具３０が暗くなりすぎないため、安全性を確保して電力使用量を抑制することができる。
【００９８】
また、制御部２５は、省電力指示信号によって省電力が指示される場合、算出した調光率が所定の調光率以上に明るく照明器具３０を発光させる調光率であるときには、算出した調光率を送信部２７に送信させてもよい。
【００９９】
これにより、照明制御装置２０は、省電力が指示された場合に、照明器具３０を所定の調光率よりも明るく発光させ、かつ、電力使用量を抑制することができる。
【０１００】
また、制御部２５は、現在時刻が所定の時間帯に含まれるか否かをさらに判断してもよい。制御部２５は、省電力指示信号によって省電力が指示される場合であって、かつ、現在時刻が所定の時間帯に含まれると判断した場合に、算出した調光率が所定の調光率よりも暗く照明器具３０を発光させる調光率であるときには、所定の調光率を送信部２７に送信させてもよい。
【０１０１】
これにより、ユーザによって所定の時間帯が指定されれば、照明制御装置２０は、照明器具３０の明るさ（調光率）の下限が定められる時間帯をユーザの指定に応じて変更することができる。
【０１０２】
また、制御部２５は、現在時刻が所定の時間帯に含まれると判断した場合に、算出した調光率が所定の調光率以上に明るく照明器具３０を発光させる調光率であるとき、及び、現在時刻が所定の時間帯に含まれないと判断した場合には、算出した調光率を送信部２７に送信させてもよい。
【０１０３】
これにより、照明制御装置２０は、算出した調光率に応じて照明器具３０を発光させることができる。
【０１０４】
また、省電力指示信号は、第一段階の指示、及び、第一段階よりも省電力の必要性が高い場合に行われる第二段階の指示の二段階に分けて省電力を指示してもよい。制御部２５は、省電力指示信号によって第一段階の指示が行われる場合、スケジュール情報によって定められる調光率よりも照明器具３０を暗く発光させるための第一調光率を算出し、算出した第一調光率を送信部２７に送信させてもよい。制御部２５は、省電力指示信号によって第二段階の指示が行われる場合、第一調光率よりも照明器具３０を暗く発光させるための第二調光率を算出してもよい。制御部２５は、算出した第二調光率が所定の調光率よりも暗く照明器具３０を発光させる調光率であるときには、所定の調光率を送信部２７に送信させてもよい。
【０１０５】
これにより、照明制御装置２０は、第一段階の指示が行われた場合に照明器具３０を算出した第一調光率で発光させることで、電力使用量を抑制することができる。また、制御部２５は、第二段階の指示が行われた場合であっても、照明器具３０は、少なくとも所定の調光率に対応した明るさで発光するため、照明器具３０の最低限の明るさが確保される。つまり、照明制御装置２０によれば、第二段階の指示が行われた場合であっても照明器具３０が暗くなりすぎないため、安全性を確保して電力使用量を抑制することができる。
【０１０６】
また、照明制御装置２０は、受信した調光率に応じた明るさで発光する照明器具３０を制御する。照明制御装置２０は、時刻又は時間帯と調光率とが対応づけられたスケジュール情報が記憶された記憶部２２と、照明器具３０に調光率を送信する送信部２７と、照明制御装置２０に省電力を指示するための省電力指示信号を取得する取得部２４と、制御部２５とを備える。制御部２５は、省電力指示信号によって省電力が指示される場合に、現在時刻が所定の時間帯に含まれるか否かを判断する。制御部２５は、現在時刻が所定の時間帯に含まれると判断した場合、記憶部２２に記憶されたスケジュール情報によって定められる調光率を送信部２７に送信させる。制御部２５は、現在時刻が所定の時間帯に含まれないと判断した場合、スケジュール情報によって定められる調光率よりも照明器具３０を暗く発光させるための調光率を算出し、算出した調光率を送信部２７に送信させる。
【０１０７】
これにより、照明制御装置２０は、所定の時間帯においては電力使用量の削減よりも明るさの確保を優先し、スケジュール情報に応じて照明器具３０を発光させることができる。つまり、照明制御装置２０は、安全性を確保して電力使用量を抑制することができる。
【０１０８】
また、制御部２５は、省電力指示信号によって省電力が指示されない場合、記憶部２２記憶されたスケジュール情報によって定められる制御値を送信部２７に送信させてもよい。
【０１０９】
これにより、照明制御装置２０は、省電力が指示されない場合に、スケジュール情報によって定められる制御値を照明器具３０に送信することができる。
【０１１０】
また、照明システム１０は、受信した調光率に応じた明るさで発光する照明器具３０と、照明器具３０を制御する照明制御装置２０とを備える。照明制御装置２０は、時刻又は時間帯と調光率とが対応づけられたスケジュール情報が記憶された記憶部２２と、照明器具３０に調光率を送信する送信部２７と、照明制御装置２０に省電力を指示するための省電力指示信号を取得する取得部２４と、制御部２５とを備える。制御部２５は、省電力指示信号によって省電力が指示されない場合、記憶部２２に記憶されたスケジュール情報によって定められる調光率を送信部２７に送信させる。制御部２５は、省電力指示信号によって省電力が指示される場合、スケジュール情報によって定められる調光率よりも照明器具３０を暗く発光させるための調光率を算出する。制御部２５は、算出した調光率が所定の調光率よりも暗く照明器具３０を発光させる調光率であるときには、所定の調光率を送信部２７に送信させる。
【０１１１】
これにより、省電力が指示された場合であっても、照明器具３０は、少なくとも所定の調光率に対応した明るさで発光するため、照明器具３０の最低限の明るさが確保される。つまり、照明システム１０によれば、省電力が指示された場合であっても照明器具３０が暗くなりすぎないため、安全性を確保して電力使用量を抑制することができる。
【０１１２】
また、照明システム１０は、受信した調光率に応じた明るさで発光する照明器具３０と、照明器具３０を備える照明制御装置２０とを備える。照明制御装置２０は、時刻又は時間帯と調光率とが対応づけられたスケジュール情報が記憶された記憶部２２と、照明器具３０に調光率を送信する送信部２７と、照明制御装置２０に省電力を指示するための省電力指示信号を取得する取得部２４と、制御部２５とを備える。制御部２５は、省電力指示信号によって省電力が指示される場合に、現在時刻が所定の時間帯に含まれるか否かを判断する。制御部２５は、現在時刻が所定の時間帯に含まれると判断した場合、記憶部２２に記憶されたスケジュール情報によって定められる調光率を送信部２７に送信させる。制御部２５は、現在時刻が所定の時間帯に含まれないと判断した場合、スケジュール情報によって定められる調光率よりも照明器具３０を暗く発光させるための調光率を算出し、算出した調光率を送信部２７に送信させる。
【０１１３】
これにより、照明システム１０は、所定の時間帯においては電力使用量の削減よりも明るさの確保を優先し、スケジュール情報に応じて照明器具３０を発光させることができる。つまり、照明システム１０は、安全性を確保して電力使用量を抑制することができる。
【０１１４】
また、受信した調光率に応じた明るさで発光する照明器具３０の制御方法は、省電力指示信号を取得し、省電力指示信号によって省電力が指示されない場合、時刻又は時間帯と調光率とが対応づけられたスケジュール情報によって定められる調光率を照明器具３０に送信する。制御方法は、省電力指示信号によって省電力が指示される場合、スケジュール情報によって定められる調光率よりも照明器具３０を暗く発光させるための調光率を算出し、算出した調光率が所定の調光率よりも暗く照明器具３０を発光させる調光率であるときには、所定の調光率を照明器具３０に送信する。
【０１１５】
これにより、省電力が指示された場合であっても、照明器具３０は、少なくとも所定の調光率に対応した明るさで発光するため、照明器具３０の最低限の明るさが確保される。つまり、制御方法によれば、省電力が指示された場合であっても照明器具３０が暗くなりすぎないため、安全性を確保して電力使用量を抑制することができる。
【０１１６】
また、受信した調光率に応じた明るさで発光する照明器具３０の制御方法は、省電力指示信号を取得し、省電力指示信号によって省電力が指示される場合に、現在時刻が所定の時間帯に含まれるか否かを判断する。制御方法は、現在時刻が所定の時間帯に含まれると判断した場合、時刻又は時間帯と調光率とが対応づけられたスケジュール情報によって定められる調光率を照明器具３０に送信する。制御方法は、現在時刻が所定の時間帯に含まれないと判断した場合、スケジュール情報によって定められる調光率よりも照明器具３０を暗く発光させるための調光率を算出し、算出した調光率を照明器具３０に送信する。
【０１１７】
これにより、制御方法は、所定の時間帯においては電力使用量の削減よりも明るさの確保を優先し、スケジュール情報に応じて照明器具３０を発光させることができる。つまり、制御方法は、安全性を確保して電力使用量を抑制することができる。
【０１１８】
（その他の実施の形態）
以上、実施の形態に係る照明システムについて説明したが、本発明は、上記実施の形態に限定されるものではない。
【０１１９】
例えば、上記実施の形態では、照明制御装置は、照明器具とは別体の装置として実現されたが、照明制御装置は、照明器具に内蔵されてもよい。つまり、照明器具の一部として実現されてもよい。この場合、ユーザによるスケジュール等の入力は、例えば、リモートコントローラまたはスマートフォンを通じて間接的に行われる。
【０１２０】
上記実施の形態で説明した照明制御装置と照明器具との通信方法は、一例である。照明制御装置と照明器具との通信方法については特に限定されるものではない。照明制御装置と照明器具との間においては、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信が行われる。
【０１２１】
また、照明制御装置と照明器具との間においては、無線通信に代えて、電力線搬送通信（ＰＬＣ：Ｐｏｗｅｒ  Ｌｉｎｅ  Ｃｏｍｍｕｎｉｃａｔｉｏｎ）または有線ＬＡＮを用いた通信など、有線通信が行われてもよい。
【０１２２】
また、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１２３】
また、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１２４】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。
【０１２５】
例えば、本発明は、上記実施の形態に係る照明システム、照明制御装置、及び照明器具として実現されてもよい。また、本発明は、照明制御装置または照明器具に用いられるプログラムとして実現されてもよい。また、本発明は、上記実施の形態に係る照明器具の制御方法として実現されてもよい。
【０１２６】
また、上記実施の形態において説明された照明システムの動作における複数の処理の順序は一例である。複数の処理の順序は、変更されてもよいし、複数の処理は、並行して実行されてもよい。
【０１２７】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１２８】
１０  照明システム
２０  照明制御装置
２２  記憶部
２４  取得部
２５  制御部
２７  送信部
３０  照明器具
【図１】
0006719078.tif 000002
【図２】
0006719078.tif 000003
【図３】
0006719078.tif 000004
【図４】
0006719078.tif 000005
【図５】
0006719078.tif 000006
【図６】
0006719078.tif 000007
【図７】
0006719078.tif 000008
【図８】
0006719078.tif 000009
【図９】
0006719078.tif 000010
【図１０】
0006719078.tif 000011